(57)【要約】      （修正有）【課題】安価なサインボードとしても利用することができ、複数枚のシートを重ねて筆記する用途に適したクリアファイルを提供する。【解決手段】第一シート２と、第一シート２と第一折曲辺５を介して連続する第二シート３と、第二シート３と第二折曲辺６を介して連続し、第一２および第二シート３の間に差し込み可能である第三シート４と、第一シートの下辺２１および第二シートの下辺２２を接合する接合部７と、を備え、第一シート２の表面にフィールド図２４が表示されており、当該フィールド図２４にサインペンで繰り返し記載および消去することができ、第三シート４が、フィールド図２４の全面を覆う大きさに構成されており、第一シート２に重ねた第三シート４を通してフィールド図２４の全体を視認することができ、第三シート４の表面にサインペンで繰り返し記載および消去することができる。【選択図】図１
0003205747.tif 000002
【実用新案登録請求の範囲】
【請求項１】
上辺、下辺および側辺を有する第一シートと、
上辺および下辺を有し、第一シートと第一折曲辺を介して連続する第二シートと、
上辺、下辺および側辺を有し、第二シートと第二折曲辺を介して連続し、第一および第二シートの間に差し込み可能である第三シートと、
第一シートの下辺および第二シートの下辺を接合する接合部と、を備えたクリアファイルであって、
前記第一シートの表面にフィールド図が表示されており、当該フィールド図にサインペンで繰り返し記載および消去することができ、
前記第三シートが、前記フィールド図の全面を覆う大きさに構成されており、第一シートに重ねた第三シートを通して前記フィールド図の全体を視認することができ、
前記第三シートの表面にサインペンで繰り返し記載および消去することができることを特徴とするクリアファイル。
【請求項２】
前記第一シート、前記第二シートおよび前記第三シートが、０．３〜０．７ｍｍ厚の一枚の樹脂シートに抜き加工を施して形成されていることを特徴とする請求項１に記載のクリアファイル。
【請求項３】
前記フィールド図の面積が、前記第一シート面積の１／３以上であることを特徴とする請求項２に記載のクリアファイル。
【請求項４】
前記フィールド図の面積が、前記第三シート面積の１／２以上であることを特徴とする請求項３に記載のクリアファイル。
【請求項５】
前記第二シートの表面にスコア表が表示されており、当該スコア表にサインペンで繰り返し記載および消去することができることを特徴とする請求項４に記載のクリアファイル。
【請求項６】
前記フィールド図と関連性のあるキャラクターなどの図柄が印刷されていることを特徴とする請求項４または５に記載のクリアファイル。
【請求項７】
前記第三シートを挟持するための切り込みが前記第一シートに設けられていることを特徴とする請求項３、４または５に記載のクリアファイル。
【考案の詳細な説明】
【技術分野】
【０００１】
本考案は、サインボードとしても利用できるクリアファイルに関する。
【背景技術】
【０００２】
従来から、クリアファイルに紙類を収納して保管・移動することができる、二枚のシートを重ね合わせ二辺をシールしたクリアファイルが知られている（例えば、特許文献１）。
【０００３】
近年、粗面化インキ層からなる筆記領域が設けられたクリアファイルが普及しつつある。出願人も、最広面に筆記用ニスを印刷することによって筆記領域を形成したクリアファイルを提案している（特許文献２参照）。
【先行技術文献】
【特許文献】
【０００４】
【特許文献１】特開２００３−０２５７７８号公報
【特許文献２】実用新案登録第３１６０１６１号公報
【考案の概要】
【考案が解決しようとする課題】
【０００５】
スポーツで用いられるサインボードは高価であり、安価な代替製品のニーズがあると考えられる。
粗面化インキ層からなる筆記領域は、鉛筆等での筆記には適しているが、サインペンで繰り返し記載および消去する用途には適していない。また、粗面化インキ層からなる筆記領域は透過性を有しないため、複数枚のシートを重ねて筆記する用途には適していない。
【０００６】
そこで、本考案は、安価なサインボードとしても利用することができ、複数枚のシートを重ねて筆記する用途に適したクリアファイルを提供することを目的とする。
【課題を解決するための手段】
【０００７】
［１］上辺、下辺および側辺を有する第一シートと、
上辺および下辺を有し、第一シートと第一折曲辺を介して連続する第二シートと、
上辺、下辺および側辺を有し、第二シートと第二折曲辺を介して連続し、第一および第二シートの間に差し込み可能である第三シートと、
第一シートの下辺および第二シートの下辺を接合する接合部と、を備えたクリアファイルであって、
前記第一シートの表面にフィールド図が表示されており、当該フィールド図にサインペンで繰り返し記載および消去することができ、
前記第三シートが、前記フィールド図の全面を覆う大きさに構成されており、第一シートに重ねた第三シートを通して前記フィールド図の全体を視認することができ、
前記第三シートの表面にサインペンで繰り返し記載および消去することができることを特徴とするクリアファイル。
［２］前記第一シート、前記第二シートおよび前記第三シートが、０．３〜０．７ｍｍ厚の一枚の樹脂シートに抜き加工を施して形成されていることを特徴とする［１］に記載のクリアファイル。
［３］前記フィールド図の面積が、前記第一シート面積の１／３以上であることを特徴とする［２］に記載のクリアファイル。
［４］前記フィールド図の面積が、前記第三シート面積の１／２以上であることを特徴とする［３］に記載のクリアファイル。
［５］前記第二シートの表面にスコア表が表示されており、当該スコア表にサインペンで繰り返し記載および消去することができることを特徴とする［４］に記載のクリアファイル。
［６］前記フィールド図と関連性のあるキャラクターなどの図柄が印刷されていることを特徴とする［４］または［５］に記載のクリアファイル。
［７］前記第三シートを挟持するための切り込みが前記第一シートに設けられていることを特徴とする［３］、［４］または［５］に記載のクリアファイル。
【考案の効果】
【０００８】
本考案によれば、安価なサインボードとしても利用することができ、複数枚のシートを重ねて筆記する用途に適したクリアファイルを提供することが可能となる。
【図面の簡単な説明】
【０００９】
【図１】第一実施形態例に係るクリアファイルの展開図である。
【図２】第三シート収納時のクリアファイルの正面図である。
【図３】第三シート重畳時のクリアファイルの正面図である。
【図４】第一実施形態例に係るクリアファイルの使用方法を説明する図である。
【図５】第二ないし第四実施形態例に係るクリアファイルに印刷されるコートを示す図である。
【考案を実施するための形態】
【００１０】
以下では、スポーツなどのサインボード（作戦ボード）として使用できる本考案のクリアファイルの詳細を実施形態例により説明する。
＜第一実施形態例＞
［構成］
図１〜３を参照しながら、第一実施形態例に係るクリアファイル１の構成を説明する。
第一実施形態例に係るクリアファイル１は、Ａ４サイズの紙を収納できる大きさのクリアファイルであり、サッカーのサインボードとして使用できることを特徴とする。
図１は、クリアファイル１の展開図である。同図に示すように、クリアファイル１は、第一シート２と、第二シート３と、第三シート４と、第一折曲辺５と、第二折曲辺６と、接合部７と、主な構成要素とする。
【００１１】
第一シート２、第二シート３および第三シート４は、１枚の透光性を備えた樹脂（例えば、ＰＰ（ポリプロピレン）やＰＥＴ（ポリエチレンテレフタレート）等）のシートに抜き加工を施して形成される。サインボードとして使用する際には、筆記のために一定の強度が要求されることから、通常よりも肉厚のシート（例えば、０．３〜０．７ｍｍ厚または０．４〜０．６ｍｍ厚）を用いて構成する。第一シート２と第二シート３は、第一折曲辺５を介して連続し、第二シートと第三シート４は、第二折曲辺６を介して連続している。図１に示す面は各シートの表面であり、インクや顔料が付着しない鏡面仕上げとされている。図１に示す面と反対側の面は各シートの裏面であり、オフセット印刷、ＵＶオフセット印刷が行えるようにマット加工がされている。
【００１２】
第一シート２は、下端に第一シート下辺２１と、上端に第一シート上辺２２と、側端に第一シート側辺２３と、フィールド図２４と、第一切欠部２５と、第二切欠部２６とを備える。
第二シート３は、下端に第二シート下辺３１と、上端に第二シート上辺３２と、スコア表３３と、図柄３４とを備える。
第三シート４は、下端に第三シート下辺４１と、上端に第三シート上辺４２と、側端に第三シート側辺４３とを備える。
【００１３】
第一シート２の裏面には、表面にフィールド図２４が表面に表示されるように印刷が施されている。第一シート２の表面は、鏡面仕上げされているため、フィールド図２４の部分にサインペンで書いた内容を容易に消すことが可能である。
フィールド図２４は、サインボードとして利用されるため、できるだけ大きく印刷することが好ましく、第三シート４の大きさより一回り小さい大きさに印刷される。例えば、第三シート下辺４１および第三シート上辺４２から、フィールド図２４の上辺および下辺がそれぞれ０．３ｍｍ〜２ｃｍ小さい大きさに印刷される。フィールド図２４の左右長（短辺長）は、競技ルールの定める上下長（長辺長）との比率により決められる。別の観点からは、フィールド図２４の面積を第一シート２の面積の１／３以上（好ましくは４０％以上）の大きさとすることが好ましい。本実施形態例では、フィールド図２４の長辺長を２６０ｍｍ、短辺長を１７０ｍｍに設定した。
第一実施形態例のフィールド図２４は、サッカーコートであるが、第二ないし第四実施形態例で後述するように、他のスポーツのコートないし競技場を印刷することも当然に可能である。
【００１４】
第一シート２のフィールド図２４が表示されていない部分は、任意の印刷を施したり印刷を施さなかったりすることができるが、収納書類が透けて見えないような印刷を施すことが好ましい。本実施形態例では、芝生を想起させる草色の印刷をフィールド図２４の周辺部分に施すと共に裏面最上層の全面に白色層を印刷した（いわゆる白打ち印刷）。
第一切欠部２５は、収納書類または収納された第三シート４を取り出す際に用いられる公知の形状のものである。第二切欠部２６は、応力を分散するための公知の形状のものである。
【００１５】
第二シート３の裏面には、スコア表３３および図柄３４が表面に表示されるように印刷が施されている。第二シート３の表面は、鏡面仕上げされているため、スコア表３３の部分にサインペンで書いた内容を容易に消すことが可能である。スコア表３３および図柄３４の表示位置は例示の位置に限定されず、例えば、スコア表３３および図柄３４の位置を入れ替えても良い。図柄３４の位置には、任意の図柄を表示することができ、例えば、図４に示す使用方法を表示することが開示される。
【００１６】
第一シート２と第二シート３は、第一シート下辺２１と第二シート下辺３１とが重ねなるように第一折曲辺５に沿って折られ、接合部７により連結され、側辺（２３、４３）および上辺（２２、３２、４２）が開口する。接合部７は、第一折曲辺５近傍を非接合とする長さであり、例えば、熱や超音波を用いた溶着等によって形成される。第一折曲辺５および第二折曲辺６は、抜き加工時に押圧形成される。本実施形態例では、第一シート２および第二シート３の長辺長を３１０ｍｍ、第一シート２の短辺長を２１９ｍｍ、第二シート３の短辺長を２２０ｍｍに設定した。この寸法によれば、一枚の汎用的な大きさの樹脂シートに抜き加工をすることにより、クリアファイル１を作製することができるので、製造コストの点で有利である。
【００１７】
第三シート４は、裏面に白打ち印刷がなされていない透明のシートであり、第一シート２の上に重ねられた第三シート４を通して前記フィールド図２４の全体を視認することができる。第三シート４の長辺長（下辺４１と上辺４２の距離）は、第三シート４を第二折曲辺６に沿って折り曲げて、第一シート２および第二シート３の間に差し込んで収納することが可能な大きさに構成されている（図２参照）。より詳細には、第一シートおよび第二シートの長辺長と比べ短く、かつ、フィールド図２４の長辺長と比べ長く構成されている。また、第三シート４の短辺長（側辺４３と折曲線との距離）もまた、第一シートおよび第二シートの短辺長と比べ短く、かつ、フィールド図２４の短辺長と比べ長く構成されている。本実施形態例では、第三シート４の長辺長を２９０ｍｍ、短辺長を２００ｍｍに設定した。
【００１８】
第三シート４の長辺の長さとしては、例えば、第一および第二シート下辺（２１、３１）および第一および第二シート上辺（２２、３２）から、第三シート下辺４１および第三シート上辺４２がそれぞれ０．５ｍｍ〜２ｃｍ短くなる長さとすることが開示される。
第三シート４の短辺の長さとしては、例えば、第一折曲辺５から、第三シート側辺４３が０．５ｍｍ〜３ｃｍ短くなる長さとすることが開示される。
【００１９】
第三シート４は、第一シート２の上に重ねられ、フィールド図２４における選手のポジショニング等の指示を書き込むために使用される（図３参照）。第三シート４の表面は、鏡面仕上げされているため、サインペンで書いた内容を容易に消すことが可能である。
第一シート２の、第三シート下辺４１、第三シート上辺４２、および/または、第三シート側辺４３を挿入可能な位置に、コの字形の切り込みを形成し、第三シート４の固定性を高めるようにしてもよい。また、本実施形態の第三シート４は矩形であるが、フィールド図２４の全面を覆うことができる大きさであれば、矩形でなくともよい（例えば、下辺４１、上辺４２および／または側辺４３を波形としてもよい。）。
さらには、第三シート４にフィールド図２４と関連性のあるキャラクターなどの図柄やフレーズを印刷することにより、第三シート４を第一シート２の上に重ねた際に、特定の雰囲気を出したり、チームの一体感を高めたりするようにしてもよい。例えば、チアガールの図柄を印刷することで応援の雰囲気を出すこと、チームの目標（例えば、「絶対行くぞ全国大会！」）を印刷することで一体感を高めることが開示される。
【００２０】
［使用態様］
図２は、第三シート４収納時のクリアファイル１の正面図である。サインボードを最初に使用する際は、第三シート４を収納した状態で使用するのが基本である。例えば、図４（ａ）に示すように、サインペンで選手のポジショニング等の情報を第一シート２の表面に記載して使用する。第一シート２と第二シート３との間には、第三シート４が収納されているので、記載時の安定性も良好である。第一シート２と第二シート３との間には、別途書類が収納されていてもよい。
【００２１】
次に、図４（ｂ）に示すように、収納された第三シート４を取り出し、第一シート２の上に重畳させる。図３は、第三シート４重畳時のクリアファイル１の正面図である。
第三シート４は透明であるため、第一シート２のフィールド図４およびサインペンでの記載情報は、第三シート４を通して視認可能である。つまり、第一シート２の表面に記載された情報を残したまま、第三シート４にポジショニング等の情報を追加記載することが可能である。この際、第一シート２と第二シート３との間には、別途書類が収納されていてもよい。
【００２２】
さらに、重畳した第三シート４をめくり、第一シート２の表面の情報の一部または全部を消去したり、第一シート２の表面に情報を追記・修正したりしてもよい。このように、第一実施形態のクリアファイルによれば、一つ前のバージョンの記載情報を残しながら、情報を追記・修正することが可能である。例えば、試合開始前に記載した指示を残したまま、ハーフタイムに情報を加筆するといった使い方をすることも可能である。
第一シート２および第三シート４の表面にサインペンで記載した情報は、ホワイトボード用のクリーナーやティッシュペーパーで拭き取ることにより容易に消去することができ、繰り返し記載することが可能である。サインペンは、例えば、水性ペンまたはホワイトボード用のペンを使用することが開示される。なお、第一シート２および第三シート４の裏面は、マット加工がなされているため、繰り返しの記載および消去に適していない。
【００２３】
＜第二ないし第四実施形態例＞
［構成］
図５を参照しながら、第二ないし第四実施形態例に係るクリアファイル１の構成を説明する。以下では、第一実施形態との相違点を中心に説明し、共通する構成については説明を割愛する。
【００２４】
図５（ａ）に示す第二実施形態例に係るクリアファイル１は、フィールド図２４がバスケットコートであり、スコア表３３および図柄３４がフィールド図２４に対応するものである点で第一実施形態例と相違し、その他の構成は同一である。
図５（ｂ）に示す第三実施形態例に係るクリアファイル１は、フィールド図２４がテニスコートであり、スコア表３３および図柄３４がフィールド図２４に対応するものである点で第一実施形態例と相違し、その他の構成は同一である。
図５（ｃ）に示す第四実施形態例に係るクリアファイル１は、フィールド図２４が野球場であり、スコア表３３および図柄３４がフィールド図２４に対応するものである点で第一実施形態例と相違し、その他の構成は同一である。
【００２５】
以上に説明した各実施形態例から明らかであるように、本発明のクリアファイルは、様々なスポーツのサインボードに適用することが可能である。
【符号の説明】
【００２６】
１  クリアファイル
２  第一シート
３  第二シート
４  第三シート
５  第一折曲辺
６  第二折曲辺
７  接合部
２１  第一シート下辺
２２  第一シート上辺
２３  第一シート側辺
２４  フィールド図
２５  第一切欠部
２６  第二切欠部
３１  第二シート下辺
３２  第二シート上辺
３３  スコア表
３４  図柄
４１  第三シート下辺
４２  第三シート上辺
４３  第三シート側辺
【図１】
0003205747.tif 000003
【図２】
0003205747.tif 000004
【図３】
0003205747.tif 000005
【図４】
0003205747.tif 000006
【図５】
0003205747.tif 000007